(57)【要約】【課題】基準試料にごみや汚れが付着して参照光の測定精度が低下することがなく、長期間にわたって相対反射率の測定精度を高く維持することができ、特に現場での使い勝手が良い、積分球を用いた相対反射率測定装置を提供する。【解決手段】積分球ＩＳの中心を通る一つの平面内に位置する三つの窓Ｗ１〜Ｗ３を積分球ＩＳに備え、外方のシールド体Ｓにより前記中心を通る回動軸ＡＲ１まわりに積分球ＩＳを回動可能に支持する。積分球ＩＳの測定位置から回動軸ＡＲ１まわりに積分球ＩＳを所定角度回動させた積分球ＩＳの較正位置ＣＰでは、第１窓Ｗ１が測光用窓２に、第２窓Ｗ２が光源用窓３になるとともに、第３窓Ｗ３がシールド体Ｓにより塞がれる。光源用窓３から積分球ＩＳ内に光を入射させて積分球ＩＳの内壁面ＩＷに照射し、内壁面ＩＳを基準試料ＲＳとして測光用窓２から積分球ＩＳの外部へ参照光を取り出す。【選択図】図５
2018205231.tif 000002
【特許請求の範囲】
【請求項１】
積分球を用いて基準試料に対する測定試料の相対反射率を求める相対反射率測定装置であって、
前記積分球の中心を通る一つの平面内に位置する、第１窓、第２窓及び第３窓の三つの窓を前記積分球に備え、
前記積分球の外方のシールド体により、前記中心を通る回動軸まわりに前記積分球を回動可能に支持し、
前記積分球の測定位置では、
前記三つの窓を、試料用窓、測光用窓及び光源用窓とし、
前記試料用窓の外方に前記測定試料をセットした状態で前記光源用窓から前記積分球内に光を入射させて前記測定試料に照射し、前記測光用窓から前記積分球の外部へ反射光を取り出し、
前記積分球の測定位置から前記回動軸まわりに前記積分球を所定角度回動させた前記積分球の較正位置では、
前記三つの窓の中の二つが前記測光用窓及び前記光源用窓になるとともに、残りの一つの窓が、前記シールド体により塞がれた状態になり、
前記光源用窓から前記積分球内に光を入射させて前記積分球の内壁面に照射し、前記内壁面を前記基準試料として前記測光用窓から前記積分球の外部へ参照光を取り出し、
前記反射光及び前記参照光から前記測定試料の相対反射率を求めることを特徴とする、
積分球を用いた相対反射率測定装置。
【請求項２】
前記回動軸は、前記一つの平面に直交する軸であり、
前記積分球の測定位置では、
前記第１窓を前記試料用窓、前記第２窓を前記測光用窓、前記第３窓を前記光源用窓とし、
前記積分球の較正位置では、
前記第１窓が前記測光用窓になり、前記第２窓が前記光源用窓になるとともに、前記第３窓が前記シールド体により塞がれた状態になる、
請求項１記載の積分球を用いた相対反射率測定装置。
【請求項３】
前記回動軸は、前記第２窓及び前記第３窓が線対称となる前記一つの平面に沿う軸であり、
前記積分球の測定位置では、
前記第１窓を前記試料用窓、前記第２窓を前記測光用窓、前記第３窓を前記光源用窓とし、
前記積分球の測定位置から前記回動軸まわりに前記積分球を１８０°回動させた前記積分球の較正位置では、
前記第３窓が前記測光用窓になり、前記第２窓が前記光源用窓になるとともに、前記第１窓が前記シールド体により塞がれた状態になる、
請求項１記載の積分球を用いた相対反射率測定装置。
【請求項４】
前記積分球の較正位置で前記シールド体により塞がれる、前記三つの窓の中の一つの窓の外方に、較正部品を前記シールド体に埋め込んでなる、
請求項１〜３の何れか１項に記載の積分球を用いた相対反射率測定装置。
【請求項５】
前記積分球と一体に回動し、前記シールド体の外部から前記積分球を前記回動軸まわりに回動させる回動操作杆を備えてなる、
請求項１〜４の何れか１項に記載の積分球を用いた相対反射率測定装置。
【請求項６】
請求項１〜５の何れか１項に記載の積分球を用いた相対反射率測定装置を用い、
前記積分球の較正位置で前記積分球の内壁面を前記基準試料として前記測光用窓から前記積分球の外部へ取り出した参照光により、前記積分球の測定位置で前記測光用窓から前記積分球の外部へ取り出した反射光を較正することを特徴とする、
積分球を用いた相対反射率測定装置の較正方法。
【発明の詳細な説明】
【技術分野】
【０００１】
本発明は、積分球を用いて基準試料に対する測定試料の相対反射率を求める相対反射率測定装置に関する。
【背景技術】
【０００２】
積分球は、中空の球であり、その球状の内壁面が、硫酸バリウム又は酸化チタン等の白色塗料を塗布した白色拡散反射面で構成され、球内に設置した光源の全光束や、球外から球内に入射された光束を多重反射させて空間的に積分し均一にして測光する、試料からの透過光又は反射光を全て取り込むための光学部品である。
このような積分球を用いた相対反射率測定装置は、積分球（Ｉ）の光源用窓（Ｗｒ）に対向する試料用窓（Ｗｂ）の外方に基準試料（ＲＳ）と測定試料（Ｄ）を交互にセットし、測光用窓（Ｗｍ）から取り出した測定光から反射光量を測定し、基準試料（ＲＳ）の反射光量に対する測定試料（Ｄ）の反射光量の比から相対反射率を求めるものである（例えば、特許文献１の第２図、非特許文献１及び２参照）。
【先行技術文献】
【特許文献】
【０００３】
【特許文献１】特開昭６１−２２５６２０号公報
【非特許文献】
【０００４】
【非特許文献１】“積分球”、UV TALK LETTER vol.5（2010）、株式会社島津製作所、［online］、［平成２９年５月１５日検索］、インターネット＜URL:http://www.an.shimadzu.co.jp/uv/support/lib/uvtalk/uvtalk5/basic.htm＞
【非特許文献２】“固体試料の反射測定”、UV TALK LETTER vol.12（2013）、株式会社島津製作所、［online］、［平成２９年５月１５日検索］、インターネット＜URL:http://www.an.shimadzu.co.jp/uv/support/lib/uvtalk/uvtalk12/basic.htm＞
【発明の概要】
【発明が解決しようとする課題】
【０００５】
従来の積分球を用いた相対反射率測定装置の構成では、試料用窓の外方にセットする基準試料にごみや汚れが付着すると、参照光の測定精度が低下するので、参照光を基準にして求める相対反射率の測定精度が低下してしまう。特に現場で使用する際には基準試料にごみや汚れが付着しやすいので大きな問題となる。
【０００６】
そこで本発明が前述の状況に鑑み、解決しようとするところは、基準試料にごみや汚れが付着して参照光の測定精度が低下することがなく、長期間にわたって相対反射率の測定精度を高く維持することができ、特に現場での使い勝手が良い、積分球を用いた相対反射率測定装置及びその較正方法を提供する点にある。
【課題を解決するための手段】
【０００７】
本発明に係る積分球を用いた相対反射率測定装置は、前記課題解決のために、積分球を用いて基準試料に対する測定試料の相対反射率を求める相対反射率測定装置であって、
前記積分球の中心を通る一つの平面内に位置する、第１窓、第２窓及び第３窓の三つの窓を前記積分球に備え、
前記積分球の外方のシールド体により、前記中心を通る回動軸まわりに前記積分球を回動可能に支持し、
前記積分球の測定位置では、
前記三つの窓を、試料用窓、測光用窓及び光源用窓とし、
前記試料用窓の外方に前記測定試料をセットした状態で前記光源用窓から前記積分球内に光を入射させて前記測定試料に照射し、前記測光用窓から前記積分球の外部へ反射光を取り出し、
前記積分球の測定位置から前記回動軸まわりに前記積分球を所定角度回動させた前記積分球の較正位置では、
前記三つの窓の中の二つが前記測光用窓及び前記光源用窓になるとともに、残りの一つの窓が、前記シールド体により塞がれた状態になり、
前記光源用窓から前記積分球内に光を入射させて前記積分球の内壁面に照射し、前記内壁面を前記基準試料として前記測光用窓から前記積分球の外部へ参照光を取り出し、
前記反射光及び前記参照光から前記測定試料の相対反射率を求めることを特徴とする（請求項１）。
【０００８】
ここで、前記回動軸は、前記一つの平面に直交する軸であり、
前記積分球の測定位置では、
前記第１窓を前記試料用窓、前記第２窓を前記測光用窓、前記第３窓を前記光源用窓とし、
前記積分球の較正位置では、
前記第１窓が前記測光用窓になり、前記第２窓が前記光源用窓になるとともに、前記第３窓が前記シールド体により塞がれた状態になるのが好ましい実施態様である（請求項２）。
【０００９】
また、前記回動軸は、前記第２窓及び前記第３窓が線対称となる前記一つの平面に沿う軸であり、
前記積分球の測定位置では、
前記第１窓を前記試料用窓、前記第２窓を前記測光用窓、前記第３窓を前記光源用窓とし、
前記積分球の測定位置から前記回動軸まわりに前記積分球を１８０°回動させた前記積分球の較正位置では、
前記第３窓が前記測光用窓になり、前記第２窓が前記光源用窓になるとともに、前記第１窓が前記シールド体により塞がれた状態になるのも好ましい実施態様である（請求項３）。
【００１０】
これらのような構成によれば、積分球の中心を通る一つの平面内に位置する、第１窓、第２窓及び第３窓の三つの窓を積分球に備え、積分球の測定位置から積分球を所定角度回動させた積分球の較正位置では、三つの窓の中の二つが測光用窓及び光源用窓になるとともに、残りの一つの窓が、シールド体により塞がれた状態になる。それにより、積分球の較正位置で、積分球の内壁面を基準試料として測光用窓から積分球の外部へ参照光を取り出すことができる。
したがって、試料用窓の外方に基準試料をセットした状態で参照光を得る従来の積分球を用いた相対反射率測定装置の構成のように、基準試料にごみや汚れが付着しないことから、参照光の測定精度が低下しない。
よって、基準試料の清掃等のメンテナンス、並びに基準試料の保管及び管理が不要でありながら、長期間にわたって相対反射率の測定精度を高く維持できるので、特に現場での使い勝手を大幅に向上できる。
【００１１】
その上、試料用窓の外方に基準試料をセットする手間を省けるので作業性を向上できる。
その上さらに、積分球の較正位置で光源をオフにするだけで暗電流のみのデータを取得できる。
よって、積分球の較正位置で光源をオンにしたデータから光源をオフにしたデータを減算するだけでダーク補正した参照光を求めることができるので、参照光のダーク補正が容易になる。
その上、請求項２に係る発明によれば、積分球の較正位置及び測定位置の切替えを、積分球を例えば９０°程度回動させるだけで行えるので、相対反射率測定装置がよりコンパクトになる。
【００１２】
さらに、前記積分球の較正位置で前記シールド体により塞がれる、前記三つの窓の中の一つの窓の外方に、較正部品を前記シールド体に埋め込んでなるのがより好ましい実施態様である（請求項４）。
【００１３】
このような構成によれば、積分球の較正位置でシールド体により塞がれる窓の外方に、例えば硫酸バリウム又は酸化チタン等の白色塗料を塗布した較正部品を埋め込んでいることから、シールド体により塞がれる窓に入る光が較正部品に反射する。
よって、参照光がシールド体の影響を受けないので、より良い参照光を得ることができる。
【００１４】
さらにまた、前記積分球と一体に回動し、前記シールド体の外部から前記積分球を前記回動軸まわりに回動させる回動操作杆を備えてなるのがより一層好ましい実施態様である（請求項５）。
【００１５】
このような構成によれば、回動操作杆を回動させる操作により積分球の較正位置及び測定位置の切替えを容易に行えるので操作性を向上できる。
【００１６】
本発明に係る積分球を用いた相対反射率測定装置の較正方法は、請求項１〜５の何れか１項に記載の積分球を用いた相対反射率測定装置を用い、
前記積分球の較正位置で前記積分球の内壁面を前記基準試料として前記測光用窓から前記積分球の外部へ取り出した参照光により、前記積分球の測定位置で前記測光用窓から前記積分球の外部へ取り出した反射光を較正することを特徴とする（請求項６）。
【００１７】
このような構成によれば、前記相対反射率測定装置を用い、積分球の較正位置で積分球の内壁面を基準試料として測光用窓から前記積分球の外部へ取り出した参照光により、積分球の測定位置で測光用窓から積分球の外部へ取り出した反射光を較正するので、前記相対反射率測定装置と同様の作用効果を奏する。
【発明の効果】
【００１８】
以上のように、本発明に係る積分球を用いた相対反射率測定装置及びその較正方法によれば、主に以下に示す効果を奏する。
（１）積分球の較正位置で、積分球の内壁面を基準試料として測光用窓から積分球の外部へ参照光を取り出すことができるので、試料用窓の外方に基準試料をセットした状態で参照光を得る従来の積分球を用いた相対反射率測定装置の構成のように、基準試料にごみや汚れが付着しないことから、参照光の測定精度が低下しない。
（２）基準試料の清掃等のメンテナンス、並びに基準試料の保管及び管理が不要でありながら、長期間にわたって相対反射率の測定精度を高く維持できるので、特に現場での使い勝手を大幅に向上できる。
（３）試料用窓の外方に基準試料をセットする手間を省けるので作業性を向上できる。
（４）積分球の較正位置で光源をオフにするだけで暗電流のみのデータを取得できることから、積分球の較正位置で光源をオンにしたデータから光源をオフにしたデータを減算するだけでダーク補正した参照光を求めることができるので、参照光のダーク補正が容易になる。
【図面の簡単な説明】
【００１９】
【図１】本発明の実施の形態に係る相対反射率測定装置の斜視図である。
【図２】同じく背面図である。
【図３】下斜め後方から見た部分横断面斜視図である。
【図４】積分球の測定位置を示す部分縦断面正面図である。
【図５】積分球の較正位置を示す部分縦断面正面図である。
【図６】積分球の較正位置でシールド体により塞がれる窓の外方に、較正部品をシールド体に埋め込んだ例を示す部分縦断面正面図である。
【図７】積分球の中心を通る一つの平面内に位置する、第１窓、第２窓及び第３窓の三つの窓の配置を示す縦断面正面図である。
【図８】積分球の回動軸の変形例を示す縦断面正面図であり、（ａ）は積分球の測定位置を、（ｂ）は積分球の較正位置を示している。
【発明を実施するための形態】
【００２０】
次に本発明の実施の形態を添付図面に基づき詳細に説明する。
【００２１】
＜積分球を用いた相対反射率測定装置＞
図１の斜視図、図２の背面図、図３の部分横断面斜視図、及び図４の部分縦断面正面図に示すように、本発明の実施の形態に係る積分球ＩＳを用いた相対反射率測定装置Ａは、積分球ＩＳを用いて基準試料に対する測定試料ＭＳの相対反射率を求めるものである。
相対反射率測定装置Ａは、積分球ＩＳの他、光源４、及び光源４からの光を集光する集光レンズ５、並びに分光器６等を備える。
【００２２】
＜積分球＞
積分球ＩＳは、球状の内壁面ＩＷが、硫酸バリウム又は酸化チタン等の白色塗料を塗布した白色拡散反射面で構成され、積分球ＩＳの中心を通る一つの平面内に位置する、第１窓Ｗ１、第２窓Ｗ２及び第３窓Ｗ３の三つの窓を備える。すなわち、第１窓Ｗ１、第２窓Ｗ２及び第３窓Ｗ３の中心は、積分球ＩＳの中心を通る一つの平面内に位置する。
ここで、積分球ＩＳの中心と第１窓Ｗ１の中心を結ぶ線分及び積分球ＩＳの中心と第２窓Ｗ２の中心を結ぶ線分との成す角度は９０°、積分球ＩＳの中心と第２窓Ｗ２の中心を結ぶ線分及び積分球ＩＳの中心と第３窓Ｗ３の中心を結ぶ線分との成す角度は９０°である。
積分球ＩＳは、外方のシールド体Ｓにより、前記一つの平面に直交する、積分球ＩＳの中心を通る回動軸ＡＲ１まわりに回動可能に支持される。
【００２３】
＜積分球の測定位置＞
図４の部分縦断面正面図に示す積分球ＩＳの測定位置ＭＰでは、第１窓Ｗ１を試料用窓１、第１窓Ｗ２を測光用窓２、第３窓Ｗ３を光源用窓３としており、試料用窓１の外方に測定試料ＭＳをセットした状態で光源用窓３から積分球ＩＳ内に光を入射させて測定試料ＭＳに照射し、測光用窓２から積分球ＩＳの外部へ反射光を取り出す。
積分球ＩＳの測定位置ＭＰで、集光レンズ５により集光した光を測定試料ＭＳに直接照射する構成は、測定試料ＭＳに反射して積分球ＩＳ内に入った光が多くの情報を持っているので、より好ましい実施態様である。
また、試料用窓１の外方には支持部材９にガラスＧが装着されているので、積分球ＩＳの測定位置ＭＰであっても、積分球ＩＳの内部は外部から密閉される。
【００２４】
＜積分球の較正位置＞
積分球ＩＳの測定位置ＭＰから回動軸ＡＲ１まわりに積分球ＩＳを９０°回動させた、図５の部分縦断面正面図に示す積分球ＩＳの較正位置ＣＰでは、第１窓Ｗ１が測光用窓２になり、第２窓Ｗ２が光源用窓３になるとともに、第３窓Ｗ３がシールド体Ｓにより塞がれた状態になる。
積分球ＩＳの較正位置ＣＰにおいて、光源用窓３から積分球ＩＳ内に光を入射させて積分球ＩＳの内壁面ＩＷに照射し、内壁面ＩＷを基準試料ＲＳとして測光用窓２から積分球ＩＳの外部へ参照光を取り出す。
【００２５】
＜積分球を用いた相対反射率測定装置の較正方法＞
図５に示す積分球ＩＳの較正位置ＣＰで積分球ＩＳの内壁面ＩＷを基準試料ＲＳとして測光用窓２から積分球ＩＳの外部へ取り出した参照光により、図４に示す積分球ＩＳの測定位置ＭＰで測光用窓２から積分球ＩＳの外部へ取り出した反射光を較正し、測定試料ＭＳの相対反射率を求める。
【００２６】
＜積分球を回動させる操作＞
図１〜図３に示すように、積分球ＩＳと一体に回動し、シールド体Ｓの外部から積分球ＩＳを回動軸ＡＲ１まわりに回動させる回動操作杆７を備える。
回動操作杆７には当止片８が連結されており、当止片８が第１リミットスイッチＬＳ１に当止された角度（図２及び図３）から、図２の矢印のように回動操作杆７を回動させて当止片８が第２リミットスイッチＬＳ２に当止された角度との間で、回動操作片７を回動させることができる。
【００２７】
当止片８が第１リミットスイッチＬＳ１に当止された角度（図２及び図３）では、積分球ＩＳの測定位置ＭＰ（図４）になり、当止片８が第２リミットスイッチＬＳ２に当止された角度では、積分球ＩＳの較正位置ＣＰ（図５）になる。
このように回動操作杆７を回動させる操作により、積分球ＩＳの較正位置ＣＰ及び測定位置ＭＰの切替えを容易に行えるので操作性を向上できる。
当止片８が第１リミットスイッチＬＳ１に当止された状態では第１リミットスイッチＬＳ１がオンになり、当止片８が第２リミットスイッチＬＳ２に当止された状態では第２リミットスイッチＬＳ２がオンになるので、両側のリミットスイッチＬＳ１，ＬＳ２の信号を組み合わせることで、積分球ＩＳの測定位置ＭＰ、積分球ＩＳの較正位置ＣＰ、及びそれらの中間位置の判別ができる。
【００２８】
＜較正部品をシールド体に埋め込む例＞
図６の部分縦断面正面図に示すように、積分球ＩＳの較正位置ＣＰでシールド体Ｓにより塞がれる第３窓Ｗ３の外方に、較正部品１０をシールド体にＳ埋め込んでおくのも好ましい実施態様である。較正部品１０は、積分球ＩＳの内壁面ＩＷと同様に、例えば硫酸バリウム又は酸化チタン等の白色塗料を塗布したものである。
較正部品１０をシールド体にＳ埋め込んでおくことにより、積分球ＩＳの較正位置ＣＰでシールド体Ｓにより塞がれる窓（本実施の形態では第３窓Ｗ３）に入る光が較正部品１０に反射することから、参照光がシールド体Ｓの影響を受けないので、より良い参照光を得ることができる。
【００２９】
＜三つの窓の配置＞
図４〜図６の部分縦断面正面図の積分球ＩＳを取り出して示す図７の縦断面正面図において、積分球ＩＳの中心と第１窓Ｗ１の中心を結ぶ線分及び積分球ＩＳの中心と第２窓Ｗ２の中心を結ぶ線分との成す角度をαとし、積分球ＩＳの中心と第２窓Ｗ２の中心を結ぶ線分及び積分球ＩＳの中心と第３窓Ｗ３の中心を結ぶ線分との成す角度をβとする。
図４〜図６の説明では、α＝β＝９０°の場合の例を示した。
【００３０】
本発明では、積分球ＩＳの測定位置ＭＰと積分球ＩＳの較正位置ＣＰとの間で回動軸ＡＲ１まわりに積分球ＩＳを回動させることにより、積分球ＩＳの測定位置ＭＰでは、三つの窓Ｗ１，Ｗ２，Ｗ３が試料用窓１、測光用窓２及び光源用窓３になり、積分球ＩＳの較正位置ＣＰでは、二つの窓Ｗ１，Ｗ２が測光用窓２及び光源用窓３になり、残りの一つの窓Ｗ３がシールド体Ｓに塞がれた状態になればよい。
よって、本発明における三つの窓Ｗ１，Ｗ２，Ｗ３の配置として、α＝βである必要はあるが、α＝β＝９０°に限定されない。
【００３１】
α＝β＝１２０°の場合は、積分球ＩＳの測定位置ＭＰから回動軸ＡＲ１まわりに積分球ＩＳを１２０°回動させた際に第３窓Ｗ３が元の第１窓Ｗ１の位置に来てしまうので、第３窓Ｗ３がシールド体Ｓに塞がれた状態にならない。
よって、α＝β＝１２０°の場合は本発明から除外される。
本発明は、α＝β＜１２０°で、積分球ＩＳの測定位置ＭＰから回動軸ＡＲ１まわりに積分球ＩＳを角度α（β）回動させた際に、第３窓Ｗ３がシールド体Ｓに塞がれた状態になればよい。
【００３２】
＜回動軸の変形例＞
図８（ａ）及び（ｂ）の縦断面正面図は、積分球ＩＳを取り出して示す説明図であり、図１〜図７の積分球ＩＳと異なる回動軸ＡＲ２を採用した変形例を示している。
第１窓Ｗ１、第２窓Ｗ２及び第３窓Ｗ３の中心は、積分球ＩＳの中心を通る一つの平面内に位置し、回動軸ＡＲ２は、第２窓Ｗ２及び第３窓Ｗ３が線対称となる前記一つの平面に沿う軸である。
【００３３】
図８（ａ）に示す積分球ＩＳの測定位置ＭＰでは、第１窓Ｗ１を試料用窓１、第２窓Ｗ２を測光用窓２、第３窓Ｗ３を光源用窓３とする。
積分球ＩＳの測定位置ＭＰから回動軸ＡＲ２まわりに積分球ＩＳを１８０°回動させた図８（ｂ）に示す積分球ＩＳの較正位置ＣＰでは、第３窓Ｗ３が測光用窓２になり、第２窓Ｗ２が光源用窓３になるとともに、第１窓Ｗ１がシールド体Ｓにより塞がれた状態になる。
【００３４】
以上のような積分球ＩＳを用いた相対反射率測定装置Ａによれば、積分球ＩＳの中心を通る一つの平面内に位置する、第１窓Ｗ１、第２窓Ｗ２及び第３窓Ｗ３の三つの窓を積分球ＩＳに備え、積分球ＩＳの測定位置ＭＰから積分球ＩＳを所定角度回動させた積分球ＩＳの較正位置ＣＰでは、三つの窓Ｗ１〜Ｗ３の中の二つ（回動軸ＡＲ１の場合はＷ１，Ｗ２、回動軸ＡＲ２の場合はＷ３，Ｗ２）が測光用窓２及び光源用窓３になるとともに、残りの一つの窓（回動軸ＡＲ１の場合はＷ３、回動軸ＡＲ２の場合はＷ１）が、シールド体Ｓにより塞がれた状態になる。それにより、積分球ＩＳの較正位置ＭＰで、積分球ＩＳの内壁面ＩＷを基準試料ＲＳとして測光用窓２から積分球ＩＳの外部へ参照光を取り出すことができる。
したがって、試料用窓１の外方に基準試料ＲＳをセットした状態で参照光を得る従来の積分球を用いた相対反射率測定装置の構成のように、基準試料ＲＳにごみや汚れが付着しないことから、参照光の測定精度が低下しない。
よって、基準試料ＲＳの清掃等のメンテナンス、並びに基準試料ＲＳの保管及び管理が不要でありながら、長期間にわたって相対反射率の測定精度を高く維持できるので、特に現場での使い勝手を大幅に向上できる。
【００３５】
その上、試料用窓１の外方に基準試料ＲＳをセットする手間を省けるので作業性を向上できる。
その上さらに、積分球ＩＳの較正位置ＣＰで光源をオフにするだけで暗電流のみのデータを取得できる。
よって、積分球ＩＳの較正位置ＣＰで光源をオンにしたデータから光源をオフにしたデータを減算するだけでダーク補正した参照光を求めることができるので、参照光のダーク補正が容易になる。
その上、回動軸ＡＲ１まわりに積分球ＩＳを回動させる構成では、積分球ＩＳの較正位置ＣＰ及び測定位置ＭＰの切替えを、積分球ＩＳを例えば９０°程度回動させるだけで行えるので、相対反射率測定装置Ａがよりコンパクトになる。
【符号の説明】
【００３６】
１  試料用窓
２  測光用窓
３  光源用窓
４  光源
５  集光レンズ
６  分光器
７  回動操作杆
８  当止片
９  支持部材
１０  較正部品
Ａ  相対反射率測定装置
ＡＲ１，ＡＲ２  回動軸
ＣＰ  較正位置
Ｇ  ガラス
ＩＳ  積分球
ＩＷ  内壁面
ＬＳ１  第１リミットスイッチ
ＬＳ２  第２リミットスイッチ
ＭＰ  測定位置
ＭＳ  測定試料
ＲＳ  基準試料
Ｓ  シールド体
Ｗ１  第１窓
Ｗ２  第２窓
Ｗ３  第３窓
【図１】
2018205231.tif 000003
【図２】
2018205231.tif 000004
【図３】
2018205231.tif 000005
【図４】
2018205231.tif 000006
【図５】
2018205231.tif 000007
【図６】
2018205231.tif 000008
【図７】
2018205231.tif 000009
【図８】
2018205231.tif 000010